(57)【要約】【課題】  ケーシングから放射されたイオン風をより遠方まで到達させることが可能なイオン放射装置を提供すること。【解決手段】  高圧流体源に接続するとともに密封された筒状のケーシング本体１、ケーシング本体１内に設け、高電圧を印加する複数の放電電極針２と、放電電極針２に対向させるとともに複数の細孔１０ａを設けたアース電極板１０とを備え、上記アース電極板１０の周囲に、リング部１１を一体的に設け、このリング部１１の先端を、上記アース電極板１０に対してイオンの放射方向下流側に突出させてリング部１１とアース電極板１０との間に凹部８ａを形成するとともに、リング部１１に流体のガイド機能を発揮させた。【選択図】  図１
2015084344.tif 000002
【特許請求の範囲】
【請求項１】
高圧流体源に接続するとともに密封された筒状のケーシングと、
このケーシング内に設けた複数の放電電極針と、
この放電電極針に対向させるとともに流体放射用の複数の細孔を設けたアース電極板とを備え、
上記放電電極針に高電圧を作用させたとき、上記放電電極針とアース電極板との間で放電させてイオンを生成し、
上記生成されたイオンを上記流体とともに上記細孔から放射させる放電装置であって、
上記アース電極板の周囲に、リング部を一体的に設け、このリング部の先端を、上記アース電極板に対してイオンの放射方向下流側に突出させ、これらリング部とアース電極板との間に凹部を形成した放電装置。
【請求項２】
上記アース電極板に、上記放電電極針よりも多くの細孔を形成するとともに、上記放電電極針の先端に少なくとも一つの細孔を対向させた請求項１に記載の放電装置。
【請求項３】
上記アース電極板に、複数の上記細孔からなる複数の細孔グループを構成するとともに、上記細孔グループをケーシングの軸心を中心とする円周上に等間隔に配置させた請求項１又は２に記載の放電装置。
【請求項４】
上記ケーシング内に、上記細孔に連続する複数の流体導入路を絶縁材料で形成し、一つの流体導入路に複数の細孔を対応させた請求項１〜３のいずれか１に記載の放電装置。
【発明の詳細な説明】
【技術分野】
【０００１】
この発明は、防爆仕様が要求される環境において利用可能な、放電装置に関する。
【背景技術】
【０００２】
この種の装置として特許文献１に示す放電装置が知られている。
この放電装置は、図４に示すように、筒状のケーシング本体１内に、３本の放電電極針２を備えている。上記ケーシング本体１は両端を開口した円筒部材であり、その後端をカバーで覆っている。
一方、上記ケーシング本体１の先端側開口には、絶縁材料からなる取り付けブロック３を圧入し、この取り付けブロック３にアース電極板４をあてがい、このアース電極板４の周囲に押さえ板５を密着させている。この押さえ板５を上記取り付けブロック３にねじ部材６で固定するとともに、上記取り付けブロック３とアース電極板４との間を、絶縁材料からなるシール部材７でシールするようにしている。そして、上記アース電極板４には、イオン風を放射させるとともに、外部からの異物の侵入を防止する大きさの細孔４ａを形成している。
【０００３】
このような放電装置では、取り付けブロック３にアース電極板４をあてがっているので、ケーシング内の圧力が高くなったとき、アース電極板４が取り付けブロック３から離れる方向に撓む可能性がある。このようにアース電極板４が撓むと、取り付けブロック３とアース電極板４との間にすき間ができてしまい、そこから高圧流体が漏れ出てしまう。もし、上記すき間から高圧流体が漏れてしまうと、細孔４ａからイオン風が噴射されにくくなる。そこで、上記のようにアース電極板が撓んでも、高圧流体が漏れないようにするため、上記シール部材７を用いていた。このシール部材７は、難燃性の材質からなる防爆仕様の高価なものである。
【０００４】
また、この放電装置は、アース電極板４を、取り付けブロック３に取り付ける際に、リング状の押さえ板５と、ねじ部材６と、シール部材７とが必要であった。
さらに、上記シール部材７を設けたとしても、アース電極板４の撓み量を小さく抑えることは必要である。上記アース電極板４の撓み量を小さく抑えるために、押さえ板５を均等に押さえようとすると、ねじ部材６の数も多くしなければならず、必要な部品点数が多かった。
【先行技術文献】
【特許文献】
【０００５】
【特許文献１】特開２０１２−１８２０５４号公報
【発明の概要】
【発明が解決しようとする課題】
【０００６】
上記した従来の放電装置は、細孔から放射されたイオン風が、ケーシングの直径方向に広がって、直進方向の勢いが保たれなくなることがあった。そのため、遠方まで到達するイオン量が少なくなってしまうという問題があった。
この発明の目的は、細孔から放射されるイオン風を、より遠方まで到達させることが可能なイオン放射装置を提供することである。
【課題を解決するための手段】
【０００７】
第１の発明は、高圧流体源に接続するとともに密封された筒状のケーシングと、このケーシング内に設けた複数の放電電極針と、この放電電極針に対向させるとともに流体放射用の複数の細孔を設けたアース電極板とを備え、上記放電電極針に高電圧を作用させたとき、上記放電電極針とアース電極板との間で放電させてイオンを生成し、上記生成されたイオンを上記流体とともに上記細孔から放射させる放電装置を前提とする。
上記放電装置を前提とし、第１の発明は、上記アース電極板の周囲に、リング部を一体的に設け、このリング部の先端を、上記アース電極板に対してイオンの放射方向下流側に突出させ、これらリング部とアース電極板との間に凹部を形成したことを特徴とする。
【０００８】
第２の発明は、上記アース電極板に、上記放電電極針よりも多くの細孔を形成するとともに、上記放電電極針の先端に少なくとも一つの細孔を対向させたことを特徴とする。
【０００９】
第３の発明は、上記アース電極板に、複数の上記細孔からなる複数の細孔グループを構成するとともに、上記細孔グループをケーシングの軸心を中心とする円周上に等間隔に配置させたことを特徴とする。
【００１０】
第４の発明は、上記ケーシング内に、上記細孔に連続する複数の流体導入路を絶縁材料で形成し、一つの流体導入路に複数の細孔を対応させたことを特徴とする。
【発明の効果】
【００１１】
この発明では、アース電極板の周囲のリング部の先端をイオンの放射方向下流側に突出させて凹部を形成しているので、この凹部が流体のガイド機能を発揮して、細孔から放射されたイオン風の直径方向の広がりを抑えることができる。このように、イオン風の直径方向の広がりが抑えられれば、直進方向の勢いが保たれ、より遠方までイオンを到達させることができる。
【００１２】
第２の発明では、放電電極針よりも多くの細孔を設けているので、一つの細孔の直径を小さくしても多くの細孔を形成したことによって、エアの供給流量を確保してスムーズな流れを作り、イオン風を効率的に放射させることができる。
また、第４の発明では、ひとつの流体導入路に複数の細孔を対応させることによって、多数の細孔に効率的に高圧流体を導いて、各細孔から高圧流体を放射させることができる。これにより、放電電極針に対向した細孔から効率的にイオンが放射されるとともに、他の細孔から放射された流体の流れが合流して、上記細孔から放射されたイオンをより遠くへ導くことができる。
【図面の簡単な説明】
【００１３】
【図１】図１はこの発明の実施形態の放電装置の断面図である。
【図２】図２は実施形態の正面図である。
【図３】図３は実施形態の底面図である。
【図４】図４は従来の放電装置の断面図である。
【発明を実施するための形態】
【００１４】
図１〜３に、この発明の一実施形態を示す。
この放電装置は、筒状のケーシング本体１内に、３本の放電電極針２（図１，２参照）を備えた防爆用の装置である。そして、この実施形態では、高圧流体として高圧エアを用いるものとする。
なお、上記図１はケーシング本体１の軸心を含む面での断面図、図２は正面図、図３は底面図である。
【００１５】
上記ケーシング本体１は、アルミニウムなどの導電性材料で構成した両端を開放した円筒部材であり、先端側を金属製の細孔ヘッダー８で塞ぎ、後端側をカバー部材９で覆っている。
また、上記カバー部材９にアース端子３０を設け、このアース端子３０にはアース線を接続している。したがって、上記細孔ヘッダー８は、上記ケーシング本体１を介してアースされる。
【００１６】
上記細孔ヘッダー８は、複数の細孔１０ａを形成したアース電極１０と、その周囲に一体的に形成され、軸方向に所定の長さを備えたリング部１１とで構成される。このリング部１１は、ケーシング本体１の先端側開口に圧入され、ケーシング本体１の外側面から六角孔付きのねじ部材１２によって固定されている。上記リング部１１は軸方向に所定の長さを備えていて、圧入時にはその外周面とケーシング本体１の内周面とが密着してシール機能を発揮するようにしている。そのため、上記細孔ヘッダー８とケーシング本体１との間にシール部材を設ける必要はない。
【００１７】
また、上記ケーシング本体１の後端側内周には円盤状の密封ブロック１３を圧入し、この密封ブロック１３をケーシング本体１の外周からねじ部材１２で固定している。この密封ブロック１３とケーシング本体１との間も、シール性を保つようにしている。
したがって、上記ケーシング本体１内であって、上記密封ブロック１３と上記細孔ヘッダー８との間が、この発明の密封されたケーシングの内部を構成する。
【００１８】
上記アース電極板１０の細孔１０ａは、ケーシング本体１内に導いたエアを放射させるための孔であり、従来の放電装置の細孔と同様に、外部からの異物の侵入を防止できる大きさにしたものである。この実施形態では、全ての細孔１０ａの開口径を１〔ｍｍ〕未満の同一寸法にしている。
また、この実施形態では、５個の細孔１０ａを一組にして細孔グループとし、上記アース電極板１０においてケーシング本体１の軸心を中心とする円周上に、上記細孔１０ａからなる細孔グループを６組、等間隔に配置している（図２参照）。つまり、上記アース電極板１０には、合計３０個の細孔１０ａが形成されている。
【００１９】
また、上記細孔ヘッダー８の内側には、樹脂製の取り付けブロック１４が、ねじ部材によって固定されている。この取り付けブロック１４には、軸方向に貫通するこの発明の流体導入路としての複数のエア導入路１４ａを、円周方向に所定の間隔を保って形成している。
そして、上記各エア導入路１４ａには、上記細孔１０ａの５個ずつの各細孔グループを位置させるようにしている。
【００２０】
また、図１に示すように、上記取り付けブロック１４の後方には、電極保持部材１５を設け、そこに電極針２を取り付けている。
上記電極保持部材１５は、ステンレスなどの導電性部材からなり、三方に突出した板状の突出部１５ａを備え、各突出部１５ａの先端に放電電極針２を取り付けている。上記突出部１５ａの先端には、雌ねじを形成したねじ孔１５ｂを形成するとともに、放電電極針２の基端側外周にはねじ部２ａを形成し、このねじ部２ａを上記ねじ孔１５ｂにねじ込んで止めている。
さらに、放電電極針２のねじ部２ａには止めナット１６をねじ込んで、放電電極針２の位置を固定している。
【００２１】
上記のようにして放電電極針２を保持した電極保持部材１５の中心に、金属製の棒状の支持部材１７を挿入固定するとともに、この支持部材１７を、上記取り付けブロック１４の中心にねじ結合するようにしている。このとき、個々の放電電極針２はその先端が、それぞれ別のエア導入路１４ａに対応するとともに上記アース電極板１０に形成した細孔１０ａに対向するようにしている。なお、この実施形態では、上記一つのエア導入路１４ａを、上記細孔１０ａが５個で一組となった一つの細孔グループに連続させているが、これら細孔１０ａのうち中心の細孔１０ａに上記放電電極針２の先端を正対させるようにしている。
このようにして取り付けた上記放電電極針２と上記アース電極板１０とは、上記樹脂製の取り付けブロック１４を介在させることによって電気的に絶縁されている。
【００２２】
この実施形態では、ケーシング本体１内に３本の放電電極針２を設けているが、放電電極針２の本数は３本に限らない。ただし、上記細孔１０ａの個数の方が放電電極針２の本数よりも多くなるようにする。
また、この実施形態では、上記細孔１０ａを３０個形成し、エア導入路１４ａを６個形成しているが、これら細孔１０ａ及びエア導入路１４ａの数は上記のものに限らない。上記細孔１０ａとエア導入路１４ａとが対応し、高圧エアがエア導入路１４ａを経由して上記各細孔１０ａに導かれるように構成されていればよい。
【００２３】
さらに、上記放電電極針２にねじ止めした止めナット１６を緩めれば、放電電極針２を回して軸方向に移動させ、放電電極針２の位置を調整することができる。そして、放電電極針２の位置を変えると、放電電極針２の先端から上記細孔１０ａまでの距離が変わるので、イオンの放射量を変えることができる。
ただし、イオンの放射量は、上記放電電極針２の位置だけでなく、放電電極針２の本数、放電電極針２に印加する電圧、及びエア流量などの影響を受けるので、これらの要素を、目的にあわせて調整する必要がある。
【００２４】
また、上記細孔ヘッダー８のリング部１１の先端は、ケーシング本体１の外方であるイオンの放射方向下流側に向かって突出し、アース電極板１０との間に凹部８ａを形成している（図１，２参照）。このような凹部８ａ内に上記細孔１０ａから放射されたエア流は、直径方向への広がりを抑制され、上記凹部８ａがガイドとなって、イオン風の直進方向への勢いが保たれることになる。これにより、イオンをより遠方へ到達させることが可能になる。
【００２５】
また、上記取り付けブロック１４には、図１に示すように、支持部材１８を介して電源制御回路１９を取り付け、この電源制御回路１９の図示しない出力端子を上記電極保持部材１５に接続するようにしている。
上記電源制御回路１９は、昇圧トランス２０などを実装したプリント基板からなり、外部電源から供給される電圧を高電圧に変換して出力する回路である。この電源制御回路１９から出力された高電圧は、上記電極保持部材１５を介して放電電極針２に印加される。
【００２６】
上記のように、この実施形態では、高電圧を出力する上記電源制御回路１９をケーシング本体１内に設けたので、ケーシング本体１の外部に、高電圧用ケーブルを設ける必要がない。そのため、高電圧ケーブルが引き回されることによる漏電や放電による危険や、他の電子機器へノイズの悪影響を排除することができる。
【００２７】
一方、底面図３に示すように、カバー部材９内に位置し、ケーシング本体１に圧入された密封ブロック１３には、ケーブル取り付け孔２１とエア供給孔２２とを貫通させている（図１参照）。
上記ケーブル取り付け孔２１は、図示しない外部のコントローラなどに接続する低電圧用ケーブルとケーシング本体１内の上記電源制御回路１９とを接続するための図示しないコネクタ取り付けるための孔であり、上記エア供給孔２２は、図示しない高圧エア供給源に接続するエアチューブ用のコネクタを取り付ける孔である。
なお、カバー部材９にも、上記低電圧用ケーブルやエアチューブなどを引き出す開口９ａ，９ｂが形成されている。
【００２８】
また、上記密封ブロック１３には、図１，３に示すように、ケーシング内の圧力を検出するための一対の圧力センサ２３，２３を取り付けている。これらの圧力センサ２３は、上記密封ブロック１３を貫通する図示しない貫通孔に検出部を対向させ固定されている。
そして、この圧力センサ２３の信号線を、上記低電圧ケーブルとともにカバー部材９から引き出して図示しない表示部に接続し、その検出値を表示するようにしている。
なお、上記のように、ケーシング本体１に一対の圧力センサ２３を設けたのは、一方の圧力センサ２３が故障した場合に他方の圧力センサ２３の検出信号を確認できるようにするためである。
【００２９】
上記のように構成したこの実施形態の放電装置の作用を以下に説明する。
なお、この放電装置を使用する際には、上記カバー部材９に設けたアース端子３０にアース線を接続し、ケーシング本体１及びアース電極板１０をアースにしておく。
まず、高圧流体源である高圧エア供給源から図示しないエアチューブを介してケーシング本体１内にエアを供給し、上記表示部によって圧力センサ２３の検出値が所定の圧力になるのを確認してから電源をオンにする。
上記所定の圧力とは、ケーシング内に供給されたエアが上記アース電極板１０の細孔１０ａから確実に放射され、異物の侵入を防止できる圧力である。つまり、外部の圧力より高い圧力である。
【００３０】
このように、上記圧力センサ２３の圧力を確認することで、ケーシング本体１内、すなわち放電電極針２の周囲をエアパージしてから、高電圧を印加することができる。
このエアパージによって、放電電極針２に高電圧を印加する前に、ケーシング本体１内の異物を排出することができるとともに、高電圧印加時に、上記細孔１０ａからケーシング本体１内に上記細孔１０ａよりも小さい異物が混入しないようにできる。
したがって、高電圧を印加した状態の上記放電電極針２に、金属粉などの異物が接近して、放電による火花が発生することを防止できる。
【００３１】
上記のように、高圧エア供給源からケーシング本体１内にエアを供給すると、そのエアは上記３０個の細孔１０ａから放射される。このとき、エアは取り付けブロック１４に形成したエア導入路１４ａによって細孔１０ａに導かれるので、ケーシング本体１内のエアは、あまり乱れることなく軸方向流れとなる。
このような軸方向のエア流が形成された状態で、上記放電電極針２に高電圧を印加すると放電電極針２の先端側に生成されたイオンが上記エアに乗り、イオン風として放電電極針２に対向する細孔１０ａから放射される。
【００３２】
この実施形態では、エア導入路１４ａでエア流を整えるとともに、放電電極針２と対向する位置に細孔１０ａを設けているので、生成されたイオンは、上記放電電極針２の先端に正対する細孔１０ａ及びその周囲に配置された複数の細孔１０ａから放射されるエア流に乗って外部に放射されるまでに、イオンがケーシング本体１の側面などに衝突するなどして中和され難いようになっている。
つまり、生成されたイオンを効率的に放射できる。
【００３３】
なお、上記イオン風は、主に、放電電極針２に対応させたエア導入路１４ａに連続する細孔１０ａから放射され、他の細孔１０ａからはイオンがほとんど含まれないエアが放射されることになる。このように、放電電極針２の先端と対向しない細孔１０ａからは、イオンがほとんど放射されないが、このような細孔１０ａを設けた理由は次のとおりである。
この放電装置は、ケーシング本体１内に異物が混入し難いように、細孔１０ａの直径を１〔ｍｍ〕未満にしているが、このように細孔１０ａの直径を小さくすれば、エアがスムーズに流れないことがある。エアがスムーズに流れなければ、生成されたイオンは、ケーシング本体１内で中和してしまい、イオン風が外部に放射されなくなってしまう。そこで、この実施形態では、上記細孔１０ａの直径を小さくしても、エアの供給流量を確保してスムーズな流れを作るために、細孔１０ａの個数を多くしているのである。
【００３４】
以上のように、この実施形態の放電装置は、密閉されたケーシング内に設けた放電電極針２の周囲に、火花発生の原因となるような異物の混入がないようにしながら、上記放電電極針２で生成されたイオンを無駄なく効率的に、イオン風として放射できるものである。
さらに、上記リング部１１とアース電極板１０との間に凹部８ａを形成し、この凹部８ａが細孔１０ａから放射されるエア流を直進方向にガイドしているため、エアに乗って放射されるイオン風をより遠くまで到達させることができる。
【００３５】
また、上記放電装置では、上記アース電極板１０の周囲にリング部１１を設け、このリング部１１がケーシング本体１との間でシール機能を発揮するように構成したため、従来装置のような高価なシール部材７や、押さえ板５が不要になる。
また、押さえ板５を必要としないため、押さえ板５を取り付けるための多数のねじ部材６も不要になり、全体の部品点数を少なくすることができる。
このように、部品点数を減らすことができるで、部品コストを低減できるだけでなく、組み立ての作業工数も減らして、製造コストを下げることができる。
特に、難燃性材料からなる高価なシール部材が不要になるため、部品コストをさらに下げることができる。
【００３６】
なお、上記放電装置は、エアを供給してケーシング内の圧力が所定の圧力以上になったことを確認してから、放電電極針２に高電圧を印加するようにしているが、上記圧力の確認や電源の制御は、作業員が手動で行なうようにしてもよいし、コントローラなどによって自動的に制御するようにしてもよい。
また、上記放電装置を、アースチェッカーとして利用する場合には、上記コントローラに、高圧エア供給源及び表面電位計を接続し、エア供給の開始、電源のオン、表面電位計の測定開始などのタイミングを自動制御することもできる。
さらに、上記実施形態の放電装置は、上記電源制御回路１９の出力電圧の極性を、プラス・マイナスに交互に変更可能なものとすることで、帯電装置としてだけでなく、プラス・マイナスのイオンを交互に放射する防爆用の除電装置としても利用できる。
【産業上の利用可能性】
【００３７】
この発明の放電装置は、防爆仕様が要求される様々な環境において、帯電装置あるいは除電装置として有用である。
【符号の説明】
【００３８】
１    ケーシング本体
２    放電電極針
８    細孔ヘッダー
８ａ  凹部
１０  アース電極板
１０ａ  細孔
１１  リング部
１４ａ  エア導入路
【図１】
2015084344.tif 000003
【図２】
2015084344.tif 000004
【図３】
2015084344.tif 000005
【図４】
2015084344.tif 000006